(57)【要約】【課題】給湯装置本体12の横幅と奥行きとが異なる場合や大きさの異なる給湯装置本体12に対し、カバー体21を共通化でき、配管の引き出しにも対応できる給湯装置11を提供する。【解決手段】給湯装置本体12の下部の間隙15をカバー体21で覆う。カバー体21は、幅寸法が異なる大小一対のカバー23，24を伸縮可能に組み合わせて構成する。角形の給湯装置本体12の各面の幅寸法に合わせて伸縮させたカバー体21を、給湯装置本体12の取付部22に取り付ける。カバー体21で覆う部分から配管を引き出す場合、配管を引き出すスペースをあけるようにカバー体21を伸縮調整して取り付ける。【選択図】図１
2007285609.tif 000002
【特許請求の範囲】
【請求項１】
脚部で設置面から上方に間隙をあけて設置される角形の給湯装置本体と、
この給湯装置本体の幅方向に対応して伸縮可能に設けられ、前記給湯装置本体の下部に前記間隙を覆って取り付けられるカバー体と
を具備していることを特徴とする給湯装置。
【請求項２】
カバー体は、伸縮可能に組み合わされた幅寸法の異なる一対のカバーを有している
ことを特徴とする請求項１記載の給湯装置。
【請求項３】
給湯装置本体の下部に、伸縮調整されたカバー体を取付可能とする取付部が設けられている
ことを特徴とする請求項１または２記載の給湯装置。
【発明の詳細な説明】
【技術分野】
【０００１】
本発明は、給湯装置本体の下部に生じる間隙をカバーで覆うようにした給湯装置に関する。
【背景技術】
【０００２】
従来、例えば電気温水器などを用いた給湯装置では、貯湯タンクや付随する各部品を角形の筐体に収容した角形の給湯装置本体を備え、この給湯装置本体を屋内や屋外に設置している。
【０００３】
給湯装置本体は底面に配設された複数の脚部で設置面から上方に間隙をあけて設置され、その間隙を利用して配管などが設置されている。
【０００４】
設置面と給湯装置本体の下部との間に間隙があると、間隙を通じて脚部や配管などが見えてしまうので、外観を向上させるためにその間隙をカバーで覆う場合がある（例えば、特許文献１、２参照）。カバーは、給湯装置本体の外周面の各面毎に、各面の幅寸法に合ったものが用いられている。
【０００５】
また、カバーで覆う部分を通じて配管を引き出す場合には、カバーの一部を切り取るなどして配管を引き出す孔部を加工している。また、予め、カバーに孔部を開口させるためのスリットを入れたノックアウトを形成しておき、必要なときにノックアウトを容易に切り取ることができるようにしたものもある。
【特許文献１】特開昭６１−２１１６６０号公報（第２−３頁、第１図、第２図）
【特許文献２】特開２００４−１４４４３８号公報（図９）
【発明の開示】
【発明が解決しようとする課題】
【０００６】
一般的に、給湯装置本体は背面や側面などの一面を壁面などに向けて設置し、カバーは給湯装置本体の３面に取り付けられることが多い。しかし、給湯装置本体の横幅や奥行きなどの交差する２面の幅寸法が異なる場合、設置場所によってどの面にカバーを取り付けるかわからないことから、４面分のカバーを１セットとして用意しなければならず、結果として不必要なカバーもセットすることになる問題がある。
【０００７】
また、カバーで覆う部分を通じて配管を引き出す場合、カバーをそのままでは取り付けることはできない。そのため、カバーの一部を切り取るなどして配管を引き出す孔部を加工する必要があり、手間がかかる問題がある。また、予め、カバーに孔部を開口させるためのスリットを入れたノックアウトを形成した場合には、必要なときにノックアウトを容易に切り取ることができるが、切り取り後のバリなどの処理に手間がかかり、しかも、スリットを入れているためにカバー自体の強度が低下する問題がある。
【０００８】
本発明は、このような点に鑑みなされたもので、給湯装置本体の横幅と奥行きとが異なる場合や、大きさ異なる給湯装置本体に対して、カバー体を共通に使用でき、また、配管の引き出しにも容易に対応できる給湯装置を提供することを目的とする。
【課題を解決するための手段】
【０００９】
請求項１記載の給湯装置は、脚部で設置面から上方に間隙をあけて設置される角形の給湯装置本体と、この給湯装置本体の幅方向に対応して伸縮可能に設けられ、前記給湯装置本体の下部に前記間隙を覆って取り付けられるカバー体とを具備しているものである。
【００１０】
請求項２記載の給湯装置は、請求項１記載の給湯装置において、カバー体は、伸縮可能に組み合わされた幅寸法の異なる一対のカバーを有しているものである。
【００１１】
請求項３記載の給湯装置は、請求項１または２記載の給湯装置において、給湯装置本体の下部に、伸縮調整されたカバー体を取付可能とする取付部が設けられているものである。
【発明の効果】
【００１２】
請求項１記載の給湯装置によれば、角形の給湯装置本体の幅方向に対応して伸縮可能なカバー体を用いるため、給湯装置本体の横幅と奥行きとが異なる場合や、大きさの異なる給湯装置本体に対して、カバー体を共通に使用でき、また、カバー体で覆う部分から配管を引き出す場合にも、配管を引き出すスペースをあけるようにカバー体を伸縮調整して取り付けるだけで、カバー体に孔部などをあける必要がなく、手間なく容易に対応できる。
【００１３】
請求項２記載の給湯装置によれば、請求項１記載の給湯装置の効果に加えて、幅寸法が異なる一対のカバーを伸縮可能に組み合わせてカバー体を形成しているため、給湯装置本体の幅寸法に対応しやすくでき、１枚ものに比べて強度を向上できる。
【００１４】
請求項３記載の給湯装置によれば、請求項１または２記載の給湯装置の効果に加えて、給湯装置本体の下部に設けられた取付部により、伸縮調整したカバー体を取り付けることができる。
【発明を実施するための最良の形態】
【００１５】
以下、本発明の一実施の形態を図面を参照して説明する。
【００１６】
図１に示すように、給湯装置11は、湯を貯湯して各給湯場所に対して給湯する角形電気温水器である給湯装置本体12を備えている。この給湯装置本体12は、角形の筐体13を有し、この筐体13内に湯を貯湯する図示しない貯湯タンクなどが収容されている。湯の貯湯は、貯湯タンク内に配置したヒータに通電して湯を沸き上げて貯湯したり、外気の熱を集熱するヒートポンプユニットを用いて湯を沸き上げて貯湯している。
【００１７】
給湯装置本体12は、正面12aと背面とが同幅、両側面12bが同幅で、正面12aの横幅寸法に比べて側面12bの奥行き寸法が大きく形成されている。
【００１８】
給湯装置本体12の底面には設置面に設置するための複数の脚部14が配設され、これら脚部14によって給湯装置本体12が設置面から上方に間隙15をあけて設置されている。この間隙15は給水または給湯などの配管を配設するためのスペースとしても利用される。
【００１９】
また、給湯装置本体12の下部の間隙15を覆う場合には、その間隙15を覆うためのカバー体21と、このカバー体21を給湯装置本体12の下部に取り付けるための取付部22とが用いられる。
【００２０】
図２に示すように、カバー体21は、幅寸法が異なる大小一対のカバー23，24を伸縮可能に組み合わせて構成されている。各カバー23，24は、平板状のカバー部25、このカバー部25の上下縁部から裏面側に略Ｌ字形に折曲された嵌合部26が形成され、大きいカバー23の裏面側で嵌合部26の内側に小さいカバー24が摺動可能に嵌合されて組み合わされている。
【００２１】
カバー体21の両側外端部に対応する各カバー23，24の外端部では、嵌合部26が切り欠かれ、給湯装置本体12の交差する２面に各カバー体21を取り付けたときに各カバー体21のカバー部25の外端部同士が隙間なく突き合わされて配置されるように構成されている。さらに、各カバー23，24の外端部近傍で上部側には、取付部22に螺着する取付ねじ27が挿通する挿通孔28が設けられている。
【００２２】
取付部22は、カバー体21で間隙15を覆う給湯装置本体12の各面の下部に沿って取り付けられている。もしくは、給湯装置本体12の下部の枠部などの構造物が利用される。この取付部22は、この取付部22にカバー体21を取り付けた際にカバー体21の外面と給湯装置本体12の外面とが略面一になるように、給湯装置本体12の各面より少し奥側に取り付けられている。
【００２３】
取付部22には、幅方向に複数の取付孔29が形成され、これら取付孔29に伸縮調整したカバー体21の各カバー23，24の挿通孔28を挿通した各取付ねじ27が螺着して取り付けられる。
【００２４】
そして、給湯装置本体12の下部の間隙15をカバー体21で覆う場合には、給湯装置本体12の幅に合わせてカバー体21を伸縮調整し、この伸縮調整したカバー体21の各カバー23，24の挿通孔28を通じて各取付ねじ27を取付部22の各取付孔29に螺着し、カバー体21を取付部22に取り付ける。
【００２５】
図３に示すように、取付部22に取り付けたカバー体21は、カバー体21の外面と給湯装置本体12の外面とが略面一になり、給湯装置本体12の交差する２面に各カバー体21のカバー部25の外端部同士が隙間なく突き合わされて配置される。
【００２６】
このように、角形の給湯装置本体12の幅方向に対応して伸縮可能なカバー体21を用いるため、給湯装置本体12の横幅と奥行きとが異なる場合や、大きさの異なる給湯装置本体12に対して、カバー体21を共通に使用できる。
【００２７】
そのため、一般的に、給湯装置本体12は背面や側面12bなどの一面を壁面などに向けて設置し、カバー体21は給湯装置本体12の３面に取り付けることが多いので、例えば、３つのカバー体21を１つのセットとして用意することができる。したがって、従来のように、４面分のカバーを１セットとして用意する必要がなく、不必要なカバーをセットする必要がない。
【００２８】
また、図４に示すように、カバー体21で覆う側面12b側から給水管や給湯管などの配管30を引き出す場合、配管30を引き出すスペースをあけるようにカバー体21を伸縮調整して取り付けるだけで、カバー体21自体に孔部などをあける必要がなく、手間なく容易に対応できる。
【００２９】
このとき、給湯装置本体12の下部に設けられた取付部22には幅方向に複数の取付孔29が設けられているため、配管30を引き出すスペースをあけるように伸縮調整したカバー体21を取り付けることができる。
【００３０】
また、カバー体21は、幅寸法が異なる大小一対のカバー23，24を伸縮可能に組み合わせて形成しているため、給湯装置本体12の幅寸法に対応しやすくでき、１枚ものに比べて強度を向上できる。
【００３１】
なお、取付部22は、給湯装置本体12と別体とし、カバー体21を利用するときに給湯装置本体12に取り付ける場合、給湯装置本体12の各面の幅寸法に対応したものを用いてもよいが、カバー体21と同様に伸縮可能とし、共通化してもよい。あるいは取付部22を給湯装置本体12の各面の幅方向両側にそれぞれ取り付けるように２分割し、共通化してもよい。
【図面の簡単な説明】
【００３２】
【図１】本発明の一実施の形態を示す給湯装置の分解状態の斜視図である。
【図２】同上給湯装置のカバー体の斜視図である。
【図３】同上給湯装置の組立状態の斜視図である。
【図４】同上給湯装置の配管を引き出した状態の斜視図である。
【符号の説明】
【００３３】
11    給湯装置
12    給湯装置本体
14    脚部
15    間隙
21    カバー体
22    取付部
23，24    カバー
【図１】
2007285609.tif 000003
【図２】
2007285609.tif 000004
【図３】
2007285609.tif 000005
【図４】
2007285609.tif 000006